(57)【特許請求の範囲】
【請求項１】
鉛直面に沿った設置面に対して取付け可能に構成され、前記設置面に沿いかつ水平面に沿う方向に向く開口面を有する筐体と、
布製品が載るように構成され、前記筐体内に位置し前記布製品が収納スペースに収まる第一位置と前記開口面を通して引き出された第二位置との間で移動可能に前記筐体に取り付けられたトレイと、
を備え、
前記筐体及び前記トレイは、前記トレイが前記第一位置にある状態で、前記収納スペースと前記筐体の外とを上下方向に通じさせる取出し穴を有し、
前記筐体は、互いに反対方向を向く一対の前記開口面を有する筒状体により構成されている、
布製品収納具。
【請求項２】
前記筐体は、前記設置面に取り付けられたフックに対して取り付けられるフック取付け部を有する、
請求項１記載の布製品収納具。
【請求項３】
前記筐体は、前記設置面に対して磁着できる磁着部を有する、
請求項１記載の布製品収納具。
【請求項４】
前記トレイの前記取出し穴の開口は長円形である、
請求項１〜３のいずれか一項に記載の布製品収納具。
【請求項５】
前記トレイの前記収納スペースに向く載置面は、前記取出し穴に近づくに従って下方向に位置するように水平面に対して傾斜している、
請求項１〜４のいずれか一項に記載の布製品収納具。
【請求項６】
前記筐体の内面には、前記トレイの移動をガイドするガイド部が形成されている、
請求項１〜５のいずれか一項に記載の布製品収納具。
【発明の詳細な説明】
【技術分野】
【０００１】
本発明は、布製品収納具に関する。
【背景技術】
【０００２】
特許文献１には、従来のタオル入れが記載されている。特許文献１記載のタオル入れは、卓上に置いて使用される。タオル入れは、外箱と、外箱内に収納される内箱と、を備える。外箱は、前方向に開口しており、内箱は、前後方向に移動可能に外箱に対して取り付けられている。
【０００３】
外箱の上面板には、第１取出口が形成されており、内箱の上面板には第２取出口が形成されている。また、内箱の前面板には、内箱の内外を貫通する窓口が形成されている。ユーザは窓口に手を差し入れ、内箱を前方向に引き出すことで、第１取出口と第２取出口とを一致させ、内箱内に収納されたタオルを上から引き抜くことができる。
【先行技術文献】
【特許文献】
【０００４】
【特許文献１】登録実用新案第３１０４７６１号公報
【発明の概要】
【発明が解決しようとする課題】
【０００５】
ところで、上記特許文献１記載のタオル入れでは、卓上に置いて使用されるため、タオル入れを置くためのスペースが必要である。また、卓上に置いた状態では、取出口が上を向き、ユーザに対して、目につく位置に配置されるため、取出口を通して収容されたタオルが見えて見栄えが悪い。
【０００６】
本発明は、上記事情に鑑みてなされ、卓上に置く必要がなく、収容された布製品が目立たないように構成された布製品収納具を提供することを目的とする。
【課題を解決するための手段】
【０００７】
本発明に係る一態様の布製品収納具は、鉛直面に沿った設置面に対して取付け可能に構成され、前記設置面に沿いかつ水平面に沿う方向に向く開口面を有する筐体と、布製品が載るように構成され、前記筐体内に位置し前記布製品が収納スペースに収まる第一位置と前記開口面を通して引き出された第二位置との間で移動可能に前記筐体に取り付けられたトレイと、を備える。前記筐体及び前記トレイは、前記トレイが前記第一位置にある状態で、前記収納スペースと前記筐体の外とを上下方向に通じさせる取出し穴を有している。
【発明の効果】
【０００８】
本発明に係る上記態様の布製品収納具は、卓上に置く必要がなく、収容された布製品が目立たない、という利点がある。
【図面の簡単な説明】
【０００９】
【図１】図１は、本発明の一実施形態に係る布製品収納具の下から見た斜視図である。
【図２】図２は、同上の布製品収納具の分解斜視図である。
【図３】図３Ａは、同上の布製品収納具と、フックとを部介した斜視図である。図３Ｂは、同上のフックの分解斜視図である。
【図４】図４Ａは、トレイが第二位置にある状態の断面図である。図４Ｂは、トレイが第一位置にある状態の断面図である。
【図５】図５Ａ〜５Ｃは、同上の布製品収納具において、布製品を引き出すことを説明する断面図である。
【発明を実施するための形態】
【００１０】
（１）実施形態
【００１１】
以下、本実施形態に係る布製品収納具１について、詳細に説明する。
（１．１）全体構成
【００１２】
本実施形態に係る布製品収納具１は、複数の布製品６を内部に収納した状態で、図１に示すように、鉛直面に沿う設置面５に取り付けられる。布製品収納具１は、筐体２と、筐体２に対して引出し可能に取り付けられたトレイ３と、を備える。
【００１３】
ここで「設置面５」とは、布製品収納具１が取り付けられる面を意味する。設置面５としては、例えば、部屋の壁面、廊下の壁面、脱衣室の壁面、リビングの壁面、扉面、間仕切り等が挙げられる。設置面５を構成する材料としては、特に制限はないが、例えば、壁紙、合板、コンクリート、パンチングメタル、網、ガラス、コルクボード、磁着可能な金属等の板材等が挙げられ、平面に限らず、凹凸面又は段差がある面で構成されてもよい。
【００１４】
布製品収納具１によって収納される布製品６（図４）は、柔軟性を持つ製品であることが好ましい。布製品６としては、例えば、タオル、バスタオル、ハンドタオル、ハンカチ、手ぬぐい、風呂敷、サポータ、下着、Ｔシャツ等が挙げられる。本実施形態に係る布製品６は、タオルである。
【００１５】
以下では、設置面５に沿いかつ水平面に沿う２方向を「左右方向」とし、設置面５に正対したときの「右」「左」を基準に、「右方向」及び「左方向」を定義する。また、鉛直面に沿う２方向を「上下方向」として定義する。なお、図面中の各方向を示す矢印は、説明のために表記しているに過ぎず、実体を伴わない。
（１．２）筐体
【００１６】
筐体２は、トレイ３と、トレイ３に載せられた複数の布製品６とを収める箱である。筐体２は、図２に示すように、前板２１、底板２２、天板２３及び背板２４を有する筒状体により構成されており、左右方向の両方の端面に一対の開口面２５が形成されている。各開口面２５は、左右方向のうちのいずれかを向いており、一対の開口面２５は、互いに反対方向を向いている。各開口面２５は、長手方向が上下方向に平行な隅丸長方形状に形成されている。
【００１７】
筐体２の材料は、特に制限はなく、例えば、合成樹脂、ゴム、カーボン、金属板、木材、紙、段ボール等により構成されるが、製造性及びコストの観点から、合成樹脂により構成されることが好ましい。
【００１８】
筐体２は、設置面５に対して取外し可能に取り付けられる。設置面５に対する筐体２の取付けは、例えば、固着具による取付け、接着、嵌め込み、突っ張り棒による取付け等が挙げられるが、本実施形態では、図３Ａに示すように、設置面５に取り付けられたフック４に対して取り付けられる。本実施形態に係る筐体２は、フック４に対して取り付けられるフック取付け部２６を有している。
【００１９】
ここで、フック４は、図３Ｂに示すように、設置面５に固定される固定部４１と、固定部４１に対して取外し可能に取り付けられるフック本体部４２と、を備える。設置面５に対する固定部４１の固定は、例えば、ねじ止め、ピン止め、接着等により実現される。固定部４１には、フック本体部４２を載せた状態で前後方向への移動を制限する載置部４１１が形成されている。フック本体部４２の後面には、引掛け部４２１が形成されており、載置部４１１に対して、引掛け部４２１が上から下に差し込まれることで、フック本体部４２は固定部４１に対して取り付けられる。フック本体部４２の上端には、差込み片４２２が形成されている。
【００２０】
フック取付け部２６は、図３Ａに示すように、筐体２の背板２４に形成されている。フック取付け部２６は、設置面５に固定されたフック４が収容される凹所２６１と、凹所２６１内に設けられてフック４の差込み片４２２が差し込まれる差込み穴２６２と、を備える。凹所２６１は、フック本体部４２の外形に適合するように形成されており、正面視略Ｕ字状に形成されている。差込み穴２６２は、凹所２６１の内側壁のうちの上端壁に、スリット状に形成されている。図３Ａに示すように、差込み穴２６２に対して下から上に向かって差込み片４２２が差し込まれ、フック４に対して筐体２が取り付けられる。
【００２１】
筐体２の内面には、図２に示すように、トレイ３の移動をガイドするガイド部２７が形成されている。ガイド部２７は、筐体２の下端部に形成された一対の溝２７１によって構成されている。前板２１に形成された溝２７１は、筐体２の内面から前方向に凹んでいる。背板２４に形成された溝２７１は、筐体２の内面から後ろ方向に凹んでいる。一対の溝２７１同士は対向しており、対向する溝２７１内にトレイ３がスライド移動可能に差し込まれる。
【００２２】
筐体２の底板２２には、取出し穴２８が形成されている。取出し穴２８からは、トレイ３に載せられた布製品６が引き出される。後述するように、トレイ３にも取出し穴３６が形成されており、筐体２内にトレイ３が収まると、トレイ３の取出し穴３６と筐体２の取出し穴２８が上下方向に通じ、これによって、トレイ３に載せられた布製品６が引き出し可能となる。
【００２３】
筐体２は、図１に示すように、取出し穴２８の開口縁に沿って立ち上げられた立上げ片２８１を有する。立上げ片２８１は、開口縁の全周にわたって連続的に形成されており、環状に形成されている。立上げ片２８１によれば、取出し穴３６が形成されることで低下した筐体２の剛性を、補強することができる。また、筐体２の一対の開口面２５の下端部には、リブ２９が形成されている。これによって、筐体２は、トレイ３から加えられる重量を適切に受けることができる。
（１．３）トレイ
【００２４】
トレイ３は、布製品６が載るように構成された部材である。トレイ３は、第一位置と、第二位置との間で、左右方向に沿って移動可能に筐体２に取り付けられている。「第一位置」は、図４Ｂに示すように、筐体２内に位置して布製品６が収納スペース１１に収まるようなトレイ３の位置を意味する。「第二位置」は、図４Ａに示すように、第一位置から開口面２５を通して引き出されたトレイ３の位置を意味する。第二位置にあるトレイ３には、上から布製品６を載せることができる。
【００２５】
トレイ３は、図２に示すように、底壁３１、前壁３２、後壁３３、右壁３４及び左壁３５を有し、扁平な容器状に形成されている。トレイ３は、筐体２内に配置され、ガイド部２７に対してスライド移動（平行移動）可能に取り付けられている。トレイ３の前壁３２、底壁３１及び後壁３３でなすコーナ部分は、筐体２の前板２１、底板２２及び背板２４でなすコーナ部分の隅丸形状に適合するように、円弧状に形成されている。
【００２６】
トレイ３の底壁３１には、複数の布製品６が載せられる（底壁３１の上面を「載置面」という場合がある）。トレイ３の底壁３１は、上述したように、トレイ３が第一位置にある状態で、上下方向に通じる取出し穴３６を有する。したがって、第一位置にあるトレイ３の取出し穴３６は、筐体２の取出し穴２８に対して上下方向に重なり、載置面に面する収納スペース１１と筐体２の外とを上下方向に通じさせる。これにより、トレイ３に布製品６が載せられた状態で、トレイ３が第一位置に位置すると、取出し穴２８，３６を通して、布製品６を下方向に抜き出すことができる。
【００２７】
取出し穴３６の開口は、図２に示すように、長円形に形成されている。ここでいう「長円形」とは、短軸と長軸とを持つ一方向に延びた円形状を意味し、長円形には、楕円形を含む。取出し穴３６の長軸は、左右方向に略平行であり、短軸が前後方向に略平行である。トレイ３の取出し穴３６の開口の形状は、筐体２の取出し穴２８の開口の形状に比べて、同じ形状に形成されている。
【００２８】
また、トレイ３の底壁３１は、取出し穴３６に近づくに従って下方向に位置するように、水平面に対して傾斜している。したがって、布製品６が載せられたトレイ３において、取出し穴３６から布製品６を引き出す際に、スムーズに布製品６を引き出すことができる。
（１．４）使用例
【００２９】
このような構成の布製品収納具１は、例えば、次のようにして使用される。図３に示すように、設置面５に対して筐体２を設置し、図４Ａに示すように、トレイ３を第二位置に引き出す。ユーザは、この状態で、トレイ３に複数の布製品６を載せ、トレイ３を第一位置に移動させる。すると、図４Ｂに示すように、布製品６は、筐体２内の収納スペース１１に収納される。
【００３０】
次いで、ユーザは、図５Ａ〜５Ｃに示すように、収納スペース１１に収納された複数の布製品６のうちの最も下側の一つを、取出し穴２８，３６を通して引き出し、一の布製品６を取り出す。これによって、ユーザは、布製品収納具１から布製品６を取り出すことができる。
（２）変形例
【００３１】
上記実施形態は、本発明の様々な実施形態の一つに過ぎない。実施形態は、本発明の目的を達成できれば、設計等に応じて種々の変更が可能である。以下、実施形態の変形例を列挙する。以下に説明する変形例は、適宜組み合わせて適用可能である。
【００３２】
筐体２は、上記実施形態では略角筒状に形成されたが、本発明では、円筒状に形成されてもよい。また、筐体２は、左右方向の両側に向くように両側に開口面２５を備えたが、本発明では、開口面２５は左右方向のいずれか一方にのみ向くように構成されてもよい。
【００３３】
フック取付け部２６の差込み穴２６２は、上記実施形態では貫通孔であったが、本発明では、凹みであればよく貫通孔でなくてもよい。
【００３４】
また、上記実施形態では、筐体２は、設置面５に取り付けられたフック４に対して取り付けられるフック取付け部２６を有しているとしたが、本発明はこれ以外の取付方法であっても良く、例えば、筐体２は、設置面５に対して磁着できる磁着部を有するように構成しても良い。筐体２の磁着部は、磁石、金属等の材料等が例示できる。例えば筐体２には板状の磁石が取り付けられ、接地面５は磁着可能な金属等の板材（例：洗濯機等の装置の側面、金属等からなる収納棚等）であるような構成であって良い。この場合は、筐体２の磁石が、磁着可能な接地面５に磁着されることにより、筐体２は接地面５に固定できる。また、筐体２が金属等の材料で成形され、接地面５に磁石等が取り付けられているように構成しても良い。いずれの場合でも、筐体２と接地面５とは磁着可能である。
【００３５】
別の例を示すと、筐体２に取り付けられているのが磁石ではなく、接地面５に吸着可能な吸盤等であっても良く、筐体２は、接地面５に吸盤を介して吸着して取り付けられるように構成しても良い。
【００３６】
また、上記実施形態では、筐体２は、前板２１、底板２２、天板２３及び背板２４を有する筒状体により構成されているとしたが、本発明はこれに限定されるものではなく、例えば、少なくとも前板２１は不透明な材料、透明な材料又は透光性を有する材料のいずれかで構成することができる。前板２１が不透明な材料の場合、後述のとおり、正面から布製品６が見えにくいようにすることができる。前板２１が透明な材料又は透光性を有する材料の場合、正面からタオルの残数を確認することができる。なお、前板２１のみならず、底板２２、天板２３及び背板２４を含めた筐体２のすべてが、不透明な材料、透明な材料又は透光性を有する材料のいずれかで構成するようにしても良い。
【００３７】
本明細書にて、「略平行」、又は「略直交」のように「略」を伴った表現が、用いられる場合がある。例えば、「略平行」とは、実質的に「平行」であることを意味し、厳密に「平行」な状態だけでなく、数％程度の誤差を含む意味である。他の「略」を伴った表現についても同様である。
【００３８】
また、本明細書において「前端部」及び「前端」などのように、「…部」の有無で区別した表現が用いられている。例えば、「前端部」とは、「前端」を含む一定の範囲を持つ部分を意味する。他の「…部」を伴った表現についても同様である。
（３）態様
【００３９】
以上説明したように、第１の態様に係る布製品収納具１は、筐体２と、トレイ３と、を備える。筐体２は、鉛直面に沿った設置面５に対して取付け可能に構成され、設置面５に沿いかつ水平面に沿う方向に向く開口面２５を有する。トレイ３は、布製品６が載るように構成され、筐体２内に位置し布製品６が収納スペース１１に収まる第一位置と、開口面２５を通して引き出された第二位置との間で移動可能に筐体２に取り付けられる。筐体２及びトレイ３は、トレイ３が第一位置にある状態で、収納スペース１１と筐体２の外とを上下方向に通じさせる取出し穴２８，３６を有している。
【００４０】
この態様によれば、開口面２５が設置面５に沿いかつ水平面に沿う方向に向いているため、布製品６の収納状態が直ちに確認できる一方、正面からは布製品６が見えにくいため、見た目がよい。また、布製品収納具１は、設置面５に取り付けられるため、例えば卓上に置く必要がなく、空間を有効に活用することができる。その上、トレイ３を設置面５に沿って引き出すことができるため、布製品６の収納や取出しが容易にできる。さらに、布製品６を積み重ねた状態でトレイ３に載せることができるため、一度に多くの布製品６を収納スペース１１に収納することができる。
【００４１】
第２の態様に係る布製品収納具１では、第１の態様において、筐体２は、互いに反対方向を向く一対の開口面２５を有する筒状体により構成されている。
【００４２】
この態様によれば、設置面５の形状や、ユーザの利き手に応じて、トレイ３を引き出す方向を決めることができて、使い勝手を向上することができる。
【００４３】
第３の態様に係る布製品収納具１では、第１又は第２の態様において、筐体２は、設置面５に取り付けられたフック４に対して取り付けられるフック取付け部２６を有する。
【００４４】
この態様によれば、設置面５に対する取付け及び取外しを簡単に行うことができる。
【００４５】
第４の態様に係る布製品収納具１では、第１〜３のいずれか１つの態様において、トレイ３の取出し穴３６の開口は長円形である。
【００４６】
この態様によれば、取出し穴３６を通して布製品６を引き出しやすくすることができる。
【００４７】
第５の態様に係る布製品収納具１では、第１〜４のいずれか１つの態様において、トレイ３の収納スペース１１に向く載置面は、取出し穴３６に近づくに従って下方向に位置するように水平面に対して傾斜している。
【００４８】
この態様によれば、取出し穴３６を通して布製品６を引き出す際、布製品６がスムーズに移動でき、布製品６を引き抜きやすい。
【００４９】
第２〜第５の態様に係る構成については、布製品収納具１に必須の構成ではなく、適宜省略可能である。
【符号の説明】
【００５０】
１      布製品収納具
１１    収納スペース
２      筐体
２５    開口面
２６    フック取付け部
２７    ガイド部
２８    取出し穴
３      トレイ
３６    取出し穴
４      フック
５      設置面
６      布製品
【要約】
【課題】卓上に置く必要がなく、収容された布製品が目立たないように構成された布製品収納具を提供する。
【解決手段】布製品収納具１は、筐体２と、トレイ３と、を備える。筐体２は、鉛直面に沿った設置面５に対して取付け可能に構成され、設置面５に沿いかつ水平面に沿う方向に向く開口面２５を有する。トレイ３は、布製品が載るように構成され、筐体２内に位置し布製品６が収納スペース１１に収まる第一位置と、開口面２５を通して引き出された第二位置との間で移動可能に筐体２に取り付けられる。筐体２及びトレイ３は、トレイ３が第一位置にある状態で、収納スペース１１と筐体２の外とを上下方向に通じさせる取出し穴２８，３６を有している。
【選択図】図１【図１】
0006741281.tif 000002
【図２】
0006741281.tif 000003
【図３】
0006741281.tif 000004
【図４】
0006741281.tif 000005
【図５】
0006741281.tif 000006